(57)【要約】      （修正有）【課題】異なる種類のマスクを収納可能であって、保管・取り出しを容易に行うことが可能な据置型のマスク保管用ボックスを提供する。【解決手段】マスク保管用ボックス１であって、積層された未使用のマスクを折り畳まずに収納可能であって、両端が開放された略四角筒状の本体部と、本体部に収納されたマスクを引き出すための開口３２ａ、３２ｂが設けられ、本体部のそれぞれの開放部に配置される開口付き面板３ａ、３ｂと、それぞれの開口３２ａ、３２ｂを覆うための蓋部４ａ、４ｂと、を備え、一方の開口付き面板３ａに向かって積層された第１のマスクＭ１及び、他方の開口付き面板３ｂに向かって積層された第２のマスクＭ２を収納することを特徴とする。【選択図】図２
0003199777.tif 000002
【実用新案登録請求の範囲】
【請求項１】
積層された未使用のマスクを折り畳まずに収納可能であって、両端が開放された略四角筒状の本体部と、
前記本体部に収納されたマスクを引き出すための開口が設けられ、前記本体部のそれぞれの開放部に配置される開口付き面板と、
それぞれの前記開口を覆うための蓋部と、を備え、
一方の開口付き面板に向かって積層された第１のマスク及び、他方の開口付き面板に向かって積層された第２のマスクを収納することを特徴とするマスク保管用ボックス。
【請求項２】
前記本体部は、扁平な状態に折り畳み可能に形成されていることを特徴とする請求項１に記載のマスク保管用ボックス。
【請求項３】
一方の前記開口に対して、他方の前記開口が狭められて形成されていること、を特徴とする請求項１又は請求項２に記載のマスク保管用ボックス。
【請求項４】
前記開口付き面板は、前記開放部の周縁の一辺を軸として、前記開放部のそれぞれを開閉可能に備えられ、
前記蓋部は、前記周縁の、前記開口付き面板の軸とは別の一辺を軸として、前記開放部のそれぞれを開閉可能に備えられていることを特徴とする請求項１〜３の何れかに記載のマスク保管用ボックス。
【請求項５】
同一の開放部に配置された前記開口付き面板及び前記蓋部は、前記開放部の周縁の対向した２辺を軸として備えられていることを特徴とする請求項４に記載のマスク保管用ボックス。
【請求項６】
前記本体部は、抗菌性を有する材料で形成されていることを特徴とする請求項１〜５の何れかに記載のマスク保管用ボックス。
【考案の詳細な説明】
【技術分野】
【０００１】
本考案は、種類の異なる未使用のマスクを収納して保管する為の、マスク保管用ボックスに関するものである。
【背景技術】
【０００２】
医療用や衛生用のマスクは、個別に袋体に梱包された状態や、複数のマスクが積層され、一つの袋体で梱包された状態等で販売されている。例えば、５０枚程度のマスクが積層された状態で袋体に梱包され、紙のパッケージに収納された状態で販売されている。
【０００３】
従来、未使用の予備のマスクを携帯したり、食事中などに外した装着済みのマスクを収納したりする為の、マスク保管用ケースが知られている（特許文献１）。また、未使用のマスクを収納した据置型のマスク収納ボックスとして、積層された状態のマスクを収納し、容易にマスクの取り出しを行うことが可能なマスク用パッケージが知られている（特許文献２）。
【先行技術文献】
【特許文献】
【０００４】
【特許文献１】特開２０１４−２２６１８４号公報
【特許文献２】特開２０１３−２３０３８０号公報
【考案の概要】
【考案が解決しようとする課題】
【０００５】
しかしながら、特許文献１に記載されたような携帯用のマスク保管用ケースや、特許文献２に記載されたようなマスク保管用パッケージでは、購入したマスクを家庭などで最適に保管することは出来ない。
【０００６】
携帯型のマスク保管用ケースでは、携帯性の観点から収納可能なマスクの枚数が、数枚に限られる。そのため、積層された状態で袋体に梱包されたマスクを購入してきたとしても、十分な量を収納することができず、家庭などにおける据置用のマスク保管用ケースとして利用する場合には利便性に欠ける。
【０００７】
また、複数枚のマスクを積層して販売するためのマスク用パッケージは、厚紙等によって形成されるのが一般的であり、取出口が解放されたものと、蓋部によって開閉可能なものに分かれる。取り出し口が開放されたマスク用パッケージは、非衛生的であり、長期的な保管には適していない。蓋部が設けられているマスク用パッケージは、蓋部の開閉によって紙埃が発生して、非衛生的である。また、パッケージの耐久性が十分ではなく、長期的なマスクの保管には適さない。
【０００８】
加えて、家庭などにおいては、大人用のマスクと子供用のマスク等、異なるタイプのマスクを日常的に使用する場合が考えられる。しかし、従来は、それらを個別のパッケージで保管しておく他なく、それらを一挙に保管することが可能なマスク保管用ボックスが求められていた。
【課題を解決するための手段】
【０００９】
本考案は、上記のような実状に鑑みてなされたものであり、異なる種類のマスクを収納可能であって、保管・取り出しを容易に行うことが可能な据置型のマスク保管用ボックスを提供することを課題とする。
【００１０】
上記課題を解決するために、本考案に係るマスク保管用ボックスは、積層された未使用のマスクを折り畳まずに収納可能であって、両端が開放された略四角筒状の本体部と、前記本体部に収納されたマスクを引き出すための開口が設けられ、前記本体部のそれぞれの開放部に配置される開口付き面板と、それぞれの前記開口を覆うための蓋部と、を備え、一方の開口付き面板に向かって積層された第１のマスク及び、他方の開口付き面板に向かって積層された第２のマスクを収納する。
【００１１】
このような構成とすることで、積層された異なる種類のマスクを、それぞれの開口から取り出すことが可能なマスク保管用ボックスを提供することができる。これにより、従来個別のパッケージで保管する他なかった異種のマスクを１の保管用ボックスに収納し、保管することが可能となる。
【００１２】
本考案の好ましい形態では、前記本体部は、扁平な状態に折り畳み可能に形成されていることを特徴とする。
このような構成とすることで、マスク保管用ボックスを、折り畳んだ状態で保管することができる。
【００１３】
本考案の好ましい形態では、一方の前記開口に対して、他方の前記開口が狭められて形成されていること、を特徴とする。
このような構成とすることで、サイズの異なったマスク、例えば大人用のマスクと子供用のマスクを、一纏めにして効率的に保管することができる。
【００１４】
本考案の好ましい形態では、前記開口付き面板は、前記開放部の周縁の一辺を軸として、前記開放部のそれぞれを開閉可能に備えられ、前記蓋部は、前記周縁の、前記開口付き面板の軸とは別の一辺を軸として、前記開放部のそれぞれを開閉可能に備えられていることを特徴とする。
このような構成とすることで、蓋部及び解放面を開いて本体部の開放部を開放し、マスクを容易に収納することができる。
【００１５】
本考案の好ましい形態では、同一の開放部に配置された前記開口付き面板及び前記蓋部は、前記開放部の周縁の対向した２辺を軸として備えられていることを特徴とする。
このような構成とすることで、特に開放部の開閉を容易に行うことができる。また、本体部と面板本体部と蓋部の間に生じる隙間を減らすことができる。
【００１６】
本考案の好ましい形態では、前記本体部は、抗菌性を有する材料で形成されていることを特徴とする。
このような構成とすることで、マスクを衛生的に保管することができる。
【考案の効果】
【００１７】
異なる種類のマスクを収納可能であって、保管・取り出しを容易に行うことが可能な据置型のマスク保管用ボックスを提供することができる。
【図面の簡単な説明】
【００１８】
【図１】本考案の一実施形態に係るマスク保管用ボックスの斜視図である。
【図２】本考案の一実施形態に係るマスク保管用ボックスの蓋部及び開口付き面板を開放した状態を示す斜視図である。
【図３】本考案の一実施形態に係るマスク保管用ボックスの一方の蓋部及び開口付き面板を開放した状態を示す斜視図である。
【図４】本考案の一実施形態に係るマスク保管用ボックスの一部切り欠き斜視図である。
【図５】本考案の一実施形態に係るマスク保管用ボックスの開口付き面板を示す図である。（ａ）は一方の開口付き面板３ａを示し、（ｂ）は他方の開口付き面板３ｂを示している。
【図６】本考案の一実施形態に係る折り畳み時のマスク保管用ボックスの斜視図である。
【考案を実施するための形態】
【００１９】
以下、本考案の実施の形態について図面を参照して説明する。
本実施形態に係るマスク保管用ボックス１は、２つの取り出し口を備えており、第１のマスクＭ１及び第２のマスクＭ２をそれぞれの取り出し口から取り出すことができる。これにより、異なった種類の積層されたマスクを、同一の保管用ボックスでまとめて保管することが可能となる。本実施形態では、第１のマスクＭ１として大人用のマスク、第２のマスクＭ２として子供用のマスクを保管する場合を想定した例を示す。
【００２０】
図１は本考案に係るマスク保管用ボックス１を示す斜視図であり、図２は開口付き面板及び蓋部を開いた状態を示す斜視図である。マスク保管用ボックス１は、両端が開放されて四角筒状に形成された本体部２と、本体部２の一端開放部を開閉可能に配置された開口付き面板３と、蓋部４と、面板固定部５と、蓋部固定部６と、を備えている。
【００２１】
本実施形態に係るマスク保管用ボックス１は、抗菌性を有するポリエステル生地によって形成されている。マスクを清潔に保管するための、抗菌性を有する材料でマスク保管用ボックス１の箱内の面が形成されているのが好ましい。マスク保管用ボックス１を形成する材料としては、生地は綿やポリエステルなどの柔軟な天然又は合成繊維を採用することができる。また、樹脂成型の部材等、剛性を有する材料でマスク保管用ボックス１を形成しても構わない。生地を用いてマスク保管用ボックス１を形成する場合、ボックスの各面の剛性を保つため、芯材を面板内に封入してもよい。
【００２２】
図２に示すように、本体部２は、相対する２枚の側板２１と、相対する２枚の幅板２２と、を備えている。本体部２は、この側板２１及び幅板２２によって四角筒状に形成されており、それぞれの筒端が開放されている。この筒端の開放部分を、開放部とする。図２における上側の開放部を一端側開放部、図２における下側の開放部を他端側開放部とする。
【００２３】
側板２１ｂの筒内側の一端開放部近傍には、開放部を覆った状態で開口付き面板３を固定するための面板固定部５ｂが備えられ、側板２１ａの筒外側の一端開放部近傍には、開口付き面板３を覆った状態で蓋部４を固定するための蓋部固定部６ｂが備えられている。また、同様に、側板２１ａの筒内側の他端開放部近傍には、開放部を覆った状態で開口付き面板３を固定するための面板固定部５ｂが備えられ、側板２１ｂの筒外側の他端開放部近傍には、開口付き面板３を覆った状態で蓋部４を固定するための蓋部固定部６ｂが備えられている。
【００２４】
開口付き面板３は、面板本体３１と、開口３２と、舌片３３と、開放部を覆った状態で開口付き面板３を固定するための面板固定部５ａと、を備えている。開口付き面板３は、本体部２の開放部の周縁のうちの一辺を基端として、開放部を開閉可能に設けられている。
【００２５】
開口付き面板３ａは、一端側開放部の周縁の一辺（図１〜３における手前側の長辺）を基端として、本体部２の一端側開放部を開閉可能に設けられている。面板本体３１ａに設けられた開口３２ａから、積層された状態で収納された第１のマスクＭ１を引き出すことができる。図３は、一端側開放部側の開口付き面板３ａを開いた状態を示す斜視図であり、図４は、マスクＭ１及びマスクＭ２を収納して蓋部４ａを開いた状態を示す、一部切り欠き斜視図である。
【００２６】
開口付き面板３ｂは、他端側開放部の周縁の一辺（図１〜３における奥側の長辺）を基端として他端側開放部を開閉可能に設けられている。面板本体３１ｂに設けられた開口３２ｂから、積層された状態で収納された第２のマスクＭ２を引き出すことができる。
【００２７】
図５は、解放面３の正面図である。図３（ａ）は、解放面３ａの正面図であり、図３（ｂ）は、解放面３ｂの正面図である。図中に表れるように、本実施形態におけるマスク保管用ボックス１の開口３２ａ及び開口３２ｂは、異なる大きさに形成されている。開口３２ａは、大人用のマスクＭ１を取り出すための取り出し口であり、開口３２ｂは、子供用のマスクＭ２を取り出すための取り出し口として形成されている。
【００２８】
図示例における面板固定部５ａは、凹部を有する金属製の雌スナップボタンであり、本体部２に固定された凸形状を有する金属製の雄スナップボタンである面板固定部５ｂと嵌め合せることができる。
【００２９】
開口付き面板３には舌片３３が設けられており、この舌片３３に面板固定部５ａが配置されている。これにより、図３に示すように開口付き面板３を、本体部２の各面に対して略直角となった状態で、固定することができる。図示例では、面板固定部５ａ及び面板固定部５ｂはスナップボタンによって構成されているが、面ファスナーやファスナー等によって構成されても構わない。
【００３０】
蓋部４は、蓋部本体４１と、フラップ４２と、開口付き面板３を覆った状態で蓋部４を固定するための蓋部固定部６ａと、を備えている。蓋部４は、前記開口付き面板３の開口３２を覆うように、本体部２開放部の周縁のうちの、開口付き面板が基端とする一辺とは異なる一辺を基端として、開放部を開閉可能に設けられている。
【００３１】
蓋部４ａは、一端側開放部の周縁のうち、開口付き面板３ａが基端とする一辺とは異なった一辺（図１〜３における奥側の長辺）を基端として、開口付き面板３ａの開口３２ａを開閉可能に設けられている。また、蓋部４ｂは、他端側開放部の周縁のうち、開口付き面板３ｂが基端とする一辺とは異なった一辺（図１〜３における手前側の長辺）を基端として、開口付き面板３ｂの開口３２ｂを開閉可能に設けられている。
【００３２】
図示例における蓋部固定部６ａは、雄面ファスナーであり、本体部２に設けられた雌面ファスナーである蓋部固定部６ｂと噛み合せることができる。また、蓋部４にはフラップ４３が設けられており、このフラップ４３に蓋部固定部６ａが配置されている。これにより、図１に示すように、蓋部４を、本体部２の各面に対して略直角となって開口付き面板３の開口３２を覆った状態で、固定することができる。図示例では、蓋部固定部６ａ及び６ｂは面ファスナーによって構成されているが、スナップボタンやファスナー等によって構成されても構わない。
【００３３】
図５は、マスク保管用ケース１を折り畳んだ際の状態を示す斜視図である。図示例のマスク保管用ケース１は、本体部２を形成する４面のうち、側板２１には芯材が封入されており、その剛性が保たれている。一方、側板２２には芯材が封入されておらず、柔軟性を有するポリエステル生地によって形成されている。そのため、幅板２２を谷折り（乃至は山折り）にして、折り畳むことが可能である。幅板２２にも側板を封入し、側板２１と幅板２２の連結部分で折り畳み可能に構成しても構わない。
【００３４】
本考案によれば、図２に示すように、２種類の積層されたマスクを内部に収納できるマスク保管用ボックスを提供することができる。マスクは図４に示すように収納され、それぞれの開口から引き出すことができる。これにより、従来個別に保管する他なかった異なる種類のマスクを、一つの保管用ボックス内で保管することが可能となる。
【００３５】
また、マスクの取り出し口である開口の大きさを変化させることで、サイズの異なったマスク、例えば大人用のマスク及び子供用のマスクを一纏めにして保管することができる。
【００３６】
また、抗菌性を有する材料を用いて本体部等を構成することによって、保管したマスクを清潔な状態で保つことができる。
【産業上の利用可能性】
【００３７】
積層された状態で市販されている大人用のマスクと、積層された状態で市販されている子供用のマスクを、一纏めに保管することが可能な、マスク保管ボックスを形成することができる。
【符号の説明】
【００３８】
１  マスク保管用ボックス
２  本体部
２１、２１ａ、２１ｂ  側板
２２、２２ａ、２２ｂ  幅板
３、３ａ、３ｂ  開口付き面板
３１、３１ａ、３１ｂ  面板本体
３２、３２ａ、３２ｂ  開口
３３、３３ａ、３３ｂ  舌片
４、４ａ、４ｂ  蓋部
４１、４１ａ、４１ｂ  蓋部本体
４２、４２ａ、４２ｂ  フラップ
５、５ａ、５ｂ  面板固定部
６、６ａ、６ｂ  蓋部固定部
Ｍ１  第１のマスク
Ｍ２  第２のマスク
【図１】
0003199777.tif 000003
【図２】
0003199777.tif 000004
【図３】
0003199777.tif 000005
【図４】
0003199777.tif 000006
【図５】
0003199777.tif 000007
【図６】
0003199777.tif 000008